(57)【特許請求の範囲】
【請求項１】
建具幅方向両端部位の溝幅方向両側の溝内壁部に、建具幅方向中心側の溝縁部から建具幅方向外端側に向かうに従って溝天面に向けて傾斜する傾斜部をそれぞれに設けた構造とされた下向きに開口するガイド溝が建具幅方向に沿って下端部に設けられ、かつ建具幅方向に沿って移動自在に上レールに支持される建具の下端部側をガイドするガイド部材であって、
当該ガイド部材は、上方に向けて突出し、前記ガイド溝に挿入されるガイド体を備え、このガイド体は、前記ガイド溝の溝幅に対応させた基端ガイド部と、この基端ガイド部の突出方向先端側に連なるように設けられ、当該ガイド体の先端面と前記ガイド溝の溝幅方向両側の傾斜部との接触を回避させるように、少なくとも前記ガイド溝の溝幅方向に沿う形状が先端側に向けて先細り状とされた先端ガイド部とを備えていることを特徴とするガイド部材。
【請求項２】
請求項１において、
当該ガイド部材の設置対象に埋め込まれるように配設され、上下に開口する中空部が形成されたケーシングを備えており、
前記ガイド体は、前記ケーシングに対して昇降自在とされるとともに、このケーシングに設けられた付勢部材によって上方に向けて付勢されており、かつ、下降した状態において、下端が前記ケーシングの中空部の下側開口縁に位置するように下端側部位が前記中空部に収容されるとともに、少なくとも前記先端ガイド部が前記ケーシングの上面から突出する構造とされていることを特徴とするガイド部材。
【請求項３】
請求項１または２に記載のガイド部材と、
建具幅方向に沿って移動自在に上レールに支持される建具の下端部に、建具幅方向に沿って取り付けられるガイド溝部材と、を備え、
前記ガイド溝部材には、下向きに開口するガイド溝が建具幅方向に沿って設けられ、このガイド溝の建具幅方向両端部位の溝幅方向両側の溝内壁部には、建具幅方向中心側の溝縁部から建具幅方向外端側に向かうに従って溝天面に向けて傾斜する傾斜部がそれぞれに設けられていることを特徴とするガイド装置。
【請求項４】
請求項１または２に記載のガイド部材と、
建具幅方向に沿って移動自在に上レールに支持され、下端部に下向きに開口するガイド溝を建具幅方向に沿って設けた建具と、を備え、
前記ガイド溝は、建具幅方向両端部位の溝幅方向両側の溝内壁部に、建具幅方向中心側の溝縁部から建具幅方向外端側に向かうに従って溝天面に向けて傾斜する傾斜部をそれぞれに設けた構造とされていることを特徴とする建具装置。
【発明の詳細な説明】
【技術分野】
【０００１】
本発明は、建具の下端部側をガイドするガイド部材、これを備えたガイド装置及び建具装置に関する。
【背景技術】
【０００２】
従来より、建具幅方向（戸幅方向）に沿って移動自在に上レールに支持されるいわゆる上吊り式の引戸等の建具が知られている。このような上吊り式の建具は、下端部に下向きに開口するガイド溝（走行溝）を建具幅方向に沿って設けており、このガイド溝に床面や下枠等に設置されたガイドピンが挿入され、その下端側のガイドがなされる。
例えば、下記特許文献１では、磁力による吸引によって吊り戸の下端面に形成された走行溝に向けて突出し、該走行溝に挿入されるガイドピンを備えた吊り戸のガイド装置が提案されている。このガイド装置は、磁石を先端に設けた第１ガイドと、この第１ガイドが上方に向けて突出自在に嵌め込まれる筒状をした第２ガイドとによってガイドピンを構成し、これらを伸縮自在に本体に収納した構成とされている。つまり、このガイド装置のガイドピンは、小径の第１ガイドとこれが嵌め込まれる大径の第２ガイドとからなる二段階伸縮構造とされている。
【先行技術文献】
【特許文献】
【０００３】
【特許文献１】特開２００４−２２５４３６号公報
【発明の概要】
【発明が解決しようとする課題】
【０００４】
ところで、上記のようなガイド装置においては、ガイド溝の溝幅に対してガイドピンの径が小さ過ぎれば、建具が上レールに沿って移動する際に、建具の下端側が建具厚方向（戸厚方向）に振れてしまうことが考えられ、安定的なガイドが困難となることが考えられる。そのため、ガイドピンの径を、ガイド溝の溝幅寸法よりも僅かに小さい程度の寸法とすることが考えられ、上記のような二段階伸縮構造とされたガイドピンにおいては、第１ガイドの径をガイド溝の溝幅寸法に対応させた寸法とすることが考えられる。上述のように第１ガイドは筒状の第２ガイドに嵌め込まれているため、第１ガイドが磁力によってガイド溝側に向けて吸引される際に、第２ガイドに引っ掛かり、第２ガイドに嵌まり込んだまま本体から突出した状態となることが考えられる。このような場合において、上記のようにガイド溝の溝幅寸法を、第１ガイドの径に対応させた寸法とした場合には、第１ガイドがスムーズにガイド溝に挿入され難くなることが考えられる。
【０００５】
そこで、ガイド溝の建具幅方向両端部位、つまり、上レールに沿って移動する建具のガイド溝におけるガイドピンの受入始端側の部位に、第２ガイドへの嵌まり込みを解除させ、第１ガイドのみをガイド溝内に誘導させる嵌まり込み解除部を設けることが考えられる。このような嵌まり込み解除部としては、ガイド溝の建具幅方向両端部位の溝幅方向両側の溝内壁部に、建具幅方向中心側の溝縁部から建具幅方向外端側に向かうに従って溝天面に向けて傾斜する傾斜部をそれぞれに設けた構造とすることが考えられる。
上記特許文献１に記載されたガイド装置によれば、突出状態におけるガイドピンの突出寸法を確保しながらも収納状態においては床面等からの突出を略無くすことができるものではあるが、ガイドピンの構造が複雑化するという問題があった。そのため、簡易な構造とされたガイド部材を採用したいという要望があった。また、ガイド溝に上記のような嵌まり込み解除部としての傾斜部が設けられている場合にも適用でき、建具の下端部側をスムーズにガイドできるガイド部材が望まれていた。
【０００６】
本発明は、上記実情に鑑みてなされたものであり、簡易な構造でありながらも建具の下端部側をスムーズにガイドし得るガイド部材、これを備えたガイド装置及び建具装置を提供することを目的としている。
【課題を解決するための手段】
【０００７】
上記目的を達成するために、本発明に係るガイド部材は、建具幅方向両端部位の溝幅方向両側の溝内壁部に、建具幅方向中心側の溝縁部から建具幅方向外端側に向かうに従って溝天面に向けて傾斜する傾斜部をそれぞれに設けた構造とされた下向きに開口するガイド溝が建具幅方向に沿って下端部に設けられ、かつ建具幅方向に沿って移動自在に上レールに支持される建具の下端部側をガイドするガイド部材であって、当該ガイド部材は、上方に向けて突出し、前記ガイド溝に挿入されるガイド体を備え、このガイド体は、前記ガイド溝の溝幅に対応させた基端ガイド部と、この基端ガイド部の突出方向先端側に連なるように設けられ、当該ガイド体の先端面と前記ガイド溝の溝幅方向両側の傾斜部との接触を回避させるように、少なくとも前記ガイド溝の溝幅方向に沿う形状が先端側に向けて先細り状とされた先端ガイド部とを備えていることを特徴とする。
【０００８】
本発明においては、当該ガイド部材の設置対象に埋め込まれるように配設され、上下に開口する中空部が形成されたケーシングを備えたものとし、前記ガイド体を、前記ケーシングに対して昇降自在とするとともに、このケーシングに設けられた付勢部材によって上方に向けて付勢された構成とし、かつ、下降した状態において、下端が前記ケーシングの中空部の下側開口縁に位置するように下端側部位が前記中空部に収容されるとともに、少なくとも前記先端ガイド部が前記ケーシングの上面から突出する構造とされたものとしてもよい。
【０００９】
また、上記目的を達成するために、本発明に係るガイド装置は、本発明に係るガイド部材と、建具幅方向に沿って移動自在に上レールに支持される建具の下端部に、建具幅方向に沿って取り付けられるガイド溝部材と、を備え、前記ガイド溝部材には、下向きに開口するガイド溝が建具幅方向に沿って設けられ、このガイド溝の建具幅方向両端部位の溝幅方向両側の溝内壁部には、建具幅方向中心側の溝縁部から建具幅方向外端側に向かうに従って溝天面に向けて傾斜する傾斜部がそれぞれに設けられていることを特徴とする。
【００１０】
また、上記目的を達成するために、本発明に係る建具装置は、本発明に係るガイド部材と、建具幅方向に沿って移動自在に上レールに支持され、下端部に下向きに開口するガイド溝を建具幅方向に沿って設けた建具と、を備え、前記ガイド溝は、建具幅方向両端部位の溝幅方向両側の溝内壁部に、建具幅方向中心側の溝縁部から建具幅方向外端側に向かうに従って溝天面に向けて傾斜する傾斜部をそれぞれに設けた構造とされていることを特徴とする。
【発明の効果】
【００１１】
本発明に係るガイド部材、これを備えたガイド装置及び建具装置は、上述のような構成としたことで、簡易な構造でありながらも建具の下端部側をスムーズにガイドすることができる。
【図面の簡単な説明】
【００１２】
【図１】（ａ）〜（ｃ）は、いずれも本発明の一実施形態に係るガイド部材を備えた建具装置の一例を模式的に示し、（ａ）は、図２（ｂ）におけるＸ１方向から見た状態を示す一部破断概略拡大側面図、（ｂ）は、（ａ）に対応させて同建具装置の別状態を示す一部破断概略拡大側面図、（ｃ）は、図２（ｂ）におけるＹ−Ｙ線矢視に対応させた一部破断概略拡大縦断面図である。
【図２】（ａ）、（ｂ）は、いずれも同建具装置を設置した状態を模式的に示し、（ａ）は、概略正面図、（ｂ）は、（ａ）におけるＺ−Ｚ線矢視に対応させた一部破断概略拡大横断面図である。
【図３】（ａ）は、同ガイド部材を模式的に示す一部省略概略斜視図、（ｂ）は、同ガイド部材が備えるガイド体が下降した状態を図１（ｃ）に対応させて模式的に示す概略縦断面図、（ｃ）は、図２（ａ）におけるＸ２−Ｘ２線矢視に対応させた一部破断概略拡大縦断面図である。
【図４】（ａ）は、図２（ａ）におけるＷ部に対応させた一部破断概略拡大斜視図、（ｂ）は、（ａ）に対応させた一部破断概略底面図である。
【図５】（ａ）〜（ｃ）は、いずれも同建具装置に適用される他のガイド部材（第２ガイド部材）の一例を模式的に示し、（ａ）は、一部省略概略斜視図、（ｂ）は、同第２ガイド部材のガイド体が下降した状態を模式的に示す概略側面図、（ｃ）は、図１（ａ）と略同様の一部破断概略側面図である。
【図６】（ａ）〜（ｃ）は、いずれも同第２ガイド部材のガイド体の動作例を模式的に示し、図５（ｃ）に対応させて別状態を示す一部破断概略側面図である。
【発明を実施するための形態】
【００１３】
以下に本発明の実施の形態について、図面に基づいて説明する。
図１〜図４は、本実施形態に係るガイド部材、これを備えたガイド装置及び建具装置の一例について説明するための概念的な説明図である。
なお、一部の図では、他図に付している詳細な符号の一部を省略している。
また、以下の実施形態では、ガイド部材、これを備えたガイド装置及び建具装置が設置された状態を基準として上下方向等を原則的に説明する。
【００１４】
本実施形態に係る建具装置１は、図２（ａ）に示すように、建具としての引戸１０と、この引戸１０の下端部１１側をガイドするガイド部材２０とを備えており、住居等の建物の内壁８に開設された開口部に配設される。
図例では、引戸１０を納める袖壁（控え壁）を設け、引戸１０を袖壁納めとした例を示している（図２（ｂ）も参照）。また、開口部に、その内周に沿って開口枠（戸枠）としての上枠４、戸先側縦枠５及び戸尻側縦枠６を配設し、袖壁の戸先側端部に、中間縦枠（中方立）７を配設した例を示している（図２（ｂ）も参照）。
【００１５】
戸先側縦枠５は、引戸１０によって閉塞または開放される出入口の戸先側の枠下地等に固定されて上下方向に沿って配設される。
戸尻側縦枠６は、引戸１０が納められる袖壁の基端（戸尻）側の枠下地等に固定されて上下方向に沿って配設される。
これら戸先側縦枠５及び戸尻側縦枠６は、それぞれの上端部の内方側面に、上枠４の長手方向両側端面がそれぞれ当接され、木ねじや釘等の固定止具によって、上枠４にそれぞれ連結固定される。また、これら戸先側縦枠５及び戸尻側縦枠６は、上下方向の適所に固定止具が止着されて枠下地等に対して固定される。
【００１６】
中方立７は、上記出入口の戸尻側において、袖壁の戸先側端部（先端部）に設けられた枠下地等に固定されて上下方向に沿って配設される。この中方立７は、その上端部が、上枠４に形成された切欠部に係合し、上枠４乃至は枠下地等に対して固定止具によって連結固定される。また、中方立７の下端部は、床面を形成する床材や床下地材、下枠などに固定止具によって固定される。
上枠４は、長手方向の略中間部に、中方立７の上端部が係合する切欠部を有し、長手方向両端部が一対の縦枠５，６に連結固定され、これら一対の縦枠５，６間に架け渡されるように配設され、枠下地等に固定される。
【００１７】
この上枠４の下面には、下方に向けて開口する凹溝が当該上枠４の長手方向の全長に亘って、つまり、対向するように配設された一対の縦枠５，６間に延びるように設けられている。この凹溝には、図３（ｃ）に示すように、上レール３が嵌め込まれるようにして固定されている。
上レール３は、凹溝と同様、上枠４の長手方向の全長に亘って配設されており、図３（ｃ）に示すように、上板部３ａ及び両側板部３ｂ，３ｂによって縦断面形状が、下方に向けて開口する略コ字状（略Ｕ字状乃至は略Ｃ字状）とされている。また、両側板部３ｂ，３ｂの下縁部には、当該上レール３の幅方向内方側に向けて突出する案内片３ｃ，３ｃが当該上レール３の長手方向の全長に亘ってそれぞれに設けられている。
【００１８】
引戸１０は、略矩形平板状とされ、上記戸枠に戸幅（建具幅）方向に沿って移動自在に建て付けられる。この引戸１０の上端部１３には、上ガイド部材としてのランナー１５が設けられている。
ランナー１５は、図３（ｃ）に示すように、上レール３の案内片３ｃ，３ｃに支持されるローラー（転動部）１６や引戸１０の上端部１３に設けられたカップ部に連結固定される取付固定部等を有している。本実施形態では、図２（ａ）に示すように、引戸１０の上端部１３の戸幅方向両側端部近傍部位のそれぞれに２個のランナー１５，１５を設けた例を示している。
このランナー１５のローラー１６が、上レール３の案内片３ｃ，３ｃに上レール３の長手方向に沿って転動自在に支持され、これにより、引戸１０が戸幅方向に沿って移動自在に上レール３に支持される。つまり、引戸１０は、上吊り式とされている。なお、図２（ａ）において、符号１４は、引戸１０に設けられた手掛部である。
【００１９】
この引戸１０の下端部１１には、下向きに開口したガイド溝３１が戸幅方向に沿って全長に亘って設けられている。本実施形態では、図４に示すように、引戸１０の下端部１１に、下向きに開口した凹溝１２を戸幅方向に沿って全長に亘って設け、この凹溝１２にガイド溝３１を設けたガイド溝部材３０を嵌め込むように取り付けて下端部１１にガイド溝３１を設けた例を示している。
ガイド溝部材３０は、図２に示すように、引戸１０の下端部１１側をガイドする後記するガイド部材２０とによって、本実施形態に係るガイド装置２を構成する。
【００２０】
このガイド溝部材３０は、図４（ａ）に示すように、略角柱状の外郭形状とされ、その下面が引戸１０の下端面と略同一平面状となるように引戸１０の凹溝１２に嵌め込まれている。また、このガイド溝部材３０は、その下面側に、戸幅方向（当該ガイド溝部材３０の長手方向）に沿って全長に亘って下向きに開口したガイド溝３１を設けている。
ガイド溝３１の長手方向両端部位には、長手方向中心側よりも溝幅を広くした幅広溝部３４がそれぞれに設けられている（図２（ｂ）及び図４（ｂ）も参照）。ガイド溝３１の長手方向両端部位における溝幅方向両側の溝内壁部３３，３３には、図４（ｂ）に示すように、長手方向中心側から長手方向外端（引戸１０の戸尻または戸先端面）側に向けて徐々に溝幅を拡開させるテーパ部３３ａ，３３ａがそれぞれに設けられている。幅広溝部３４の両側内壁部は、これらテーパ部３３ａ，３３ａにそれぞれ連なるように設けられている。
【００２１】
また、ガイド溝３１（図例では、幅広溝部３４）は、長手方向両側端において、長手方向外方側に向けて開口するように形成されている。この長手方向両側端の開口が、後記するガイド部材２０及び第２ガイド部材４０のガイド体やガイドピン等の受入れ口となり、ガイド溝３１へのこれらの受入れ始端となる。なお、引戸１０の移動態様（スライド態様）や各ガイド部材２０，４０の構造（マグネット式の二段階伸縮構造の場合など）、これらの設置箇所等によっては、上記長手方向両側端の開口の一方または両方を設けないようにしてもよい。
【００２２】
また、このガイド溝３１の長手方向両端部位における両側の溝内壁部３３，３３には、長手方向中心側の溝縁部から長手方向外端側に向かうに従って溝天面３２に向けて傾斜する傾斜部３５，３５がそれぞれに設けられている（図１（ｃ）も参照）。これら傾斜部３５，３５の傾斜面は、斜め外方（長手方向外端側）かつ下方側に向くように形成されている。
また、これら傾斜部３５，３５の長手方向外端には、本実施形態では、テーパ部３３ａ，３３ａの溝天面３２側及び溝天面３２に連なるように設けられ、斜め外方下方側でかつ溝幅方向中心側に向く誘い傾斜部３５ａ，３５ａがそれぞれに設けられている。これら誘い傾斜部３５ａ，３５ａを外端側の基端として、長手方向中心側に向かうに従って溝縁部（ガイド溝部材３０の下面、引戸１０の下端面）に向けて傾斜し、終端が溝縁部に連なるように両傾斜部３５，３５が形成されている。
【００２３】
つまり、このガイド溝３１の両側の溝内壁部３３，３３は、長手方向両端部位に、長手方向外端側から長手方向中心側に向けて、幅広溝部３４の両側内壁部、テーパ部３３ａ，３３ａ、傾斜部３５，３５をこの順に設けた構成とされている。
ガイド溝３１の長手方向中心側部位の溝幅寸法（中心溝幅寸法）は、長手方向に沿って略同一寸法とされている。
また、傾斜部３５，３５が設けられた部位では、これら傾斜部３５，３５の形成によって、両溝内壁部３３，３３間の寸法（溝幅寸法）は、溝天面３２側の溝幅寸法が上記中心溝幅寸法と略同一寸法とされる。また、傾斜面を境にその下方側の溝幅寸法（傾斜面下方側溝幅寸法）が溝天面３２側の溝幅寸法（上記中心溝幅寸法）よりも大きく、幅広溝部３４の溝幅寸法よりも小さい寸法とされる。これら各溝幅寸法は、後記する各ガイド部材２０，４０のガイド体やガイドピンの各部等の幅寸法に応じた寸法とされる。
また。ガイド溝３１のガイド溝部材３０の下面から溝天面３２までの寸法（溝深さ寸法）は、本実施形態では、長手方向の全長に亘って略同一寸法としている。この溝深さ寸法は、後記する各ガイド部材２０，４０のガイド体やガイドピン等が挿入されて、引戸１０の下端部１１側がガイドされ得るよう、適宜設定される。
【００２４】
また、ガイド溝部材３０の長手方向両端部位には、図１（ｃ）に示すように、磁石３６が設けられている。この磁石３６は、ガイド溝３１の長手方向にＮ極とＳ極とが並ぶように配設されており、長手方向外端側に一方極（例えば、Ｎ極）が配置され、長手方向中心側に他方極（例えば、Ｓ極）が配置されるように配設されている。また、ガイド溝部材３０の長手方向中心側には、磁石３６に隣接させて鉄板等からなる磁性板３８が長手方向に沿って配設されている。
本実施形態では、ガイド溝部材３０を、長手方向中心側部材と、この中心側部材の長手方向両端側に連結固定された両端部材とを組み合わせた構成とし、上記した幅広溝部３４や傾斜部３５，３５、磁石３６等を、両端部材にそれぞれ設けた例を示している。また、上記した磁性板３８を中心側部材に設けた例を示している。
【００２５】
なお、図１（ｃ）及び図４では、ガイド溝部材３０の長手方向両端部位の一方側（図示左方側）のみを図示しているが、他方側も同様の構成であり、該他方側にも上記同様の端部材が設けられている。
また、図１（ｃ）において、符号３７は、端部材に設けられた磁石収容凹所を閉塞する蓋３７である。また、上記構成とされたガイド溝部材３０は、ねじ等の固定止具や、接着剤等によって引戸１０の凹溝１２に固定するようにしてもよい。また、このガイド溝部材３０は、合成樹脂系材料等から形成されたものとしてもよい。また、上記のようにガイド溝部材３０を中心側部材と両端部材とを組み合わせた構成とせずに、一体的にガイド溝部材３０を形成するようにしてもよい。
【００２６】
本実施形態では、上記構成とされたガイド溝部材３０を設けた引戸１０の下端部１１側をガイドするガイド部材として、図２に示すように、後記する本実施形態に係るガイド部材２０に加えて、２つの第２ガイド部材４０，４０を更に設けた例を示している。これらガイド部材２０及び第２ガイド部材４０，４０は、引戸１０の下方側に配設され、引戸１０の移動軌跡に沿って間隔を空けて配設される。図例では、ガイド部材２０を、引戸１０の移動軌跡の略中央部位に設け、２つの第２ガイド部材４０，４０を、引戸１０の移動軌跡の両側端近傍部位に設けた例を示している。図例では、一方の第２ガイド部材４０を戸先側縦枠５近傍部位、他方の第２ガイド部材４０を戸尻側縦枠６近傍部位に設けた例を示している。なお、これら第２ガイド部材４０，４０の設置箇所は、図例の箇所に限られず、引戸１０の移動軌跡の中央側に寄った位置にそれぞれを設置するようにしてもよい。
【００２７】
まず、本実施形態に係る建具装置１に適用される他のガイド部材としての第２ガイド部材４０の構成について、図５及び図６に基づいて説明する。
第２ガイド部材４０は、図５に示すように、二段階伸縮構造とされたマグネット式のガイド部材とされている。この第２ガイド部材４０は、二段階に伸縮するガイドピン４１と、このガイドピン４１を収容するガイドケース４５と、このガイドケース４５を収容する外側ケース４９とを備えている。なお、図５（ａ）では、外側ケース４９の図示を省略している。
ガイドピン４１は、柱形状（図例では円柱形状）とされた第１ピン４２と、この第１ピン４２が上方に向けて出没自在に嵌め込まれ、上下に開口する筒形状（図例では円筒形状）とされた第２ピン４４とを備えている。これら第１ピン４２及び第２ピン４４は、同心状に設けられている。
【００２８】
第１ピン４２のガイド溝３１の溝幅方向に沿う幅寸法（径）は、図５（ｃ）に示すように、ガイド溝３１の上記中心溝幅寸法に対応させた寸法とされ、該中心溝幅寸法よりも僅かに小さい寸法とされている。また、第２ピン４４から突出した状態における第１ピン４２の突出寸法は、ガイド溝３１の溝深さ寸法よりも少なくとも大きい寸法とされている。
第２ピン４４のガイド溝３１の溝幅方向に沿う幅寸法（径）は、図５（ｃ）に示すように、ガイド溝３１の上記中心溝幅寸法よりも大きい寸法とされ、幅広溝部４３の溝幅寸法よりも小さい寸法とされている。また、第２ピン４４の径は、上記した傾斜部３５，３５の形成によって溝天面３２側よりも幅広とされた上記傾斜面下方側溝幅寸法に対応させた寸法とされ、上記傾斜面下方側溝幅寸法よりも僅かに小さい寸法とされている。この第２ピン４４のガイドケース４５から突出した状態における突出寸法は、引戸１０と床面乃至はガイドケース４５上面とのクリアランス等に応じて適宜設定するようにしてもよい。
【００２９】
第１ピン４２の上端部には、図５（ｂ）、（ｃ）に示すように、磁石４３が埋め込まれるように設けられている。この磁石４３は、Ｎ極とＳ極とが上下に並ぶように配設され、上面側が、ガイド溝部材３０の磁石３６の長手方向外端側と同極（例えば、Ｎ極）となるように配設されている。また、第１ピン４２の下端外周部には、径方向にそれぞれ突出する一対の係合突起４２ａ，４２ａが設けられている。
第２ピン４４の内周部には、第１ピン４２の一対の係合突起４２ａ，４２ａにそれぞれ係合する一対の係合凹溝４４ａ，４４ａが下端から上端のやや下方位置まで上下方向に沿って設けられている。この係合凹溝４４ａ，４４ａに第１ピン４２の係合突起４２ａ，４２ａが上下に昇降自在に案内され、また、この係合凹溝４４ａ，４４ａの上端天面部によって、第１ピン４２の係合突起４２ａ，４２ａの上方側への移動が規制される。また、第２ピン４４の下端外周部には、径方向にそれぞれ突出する一対の係合突起４４ｂ，４４ｂが設けられている。
【００３０】
ガイドケース４５には、上下に開口する中空部が設けられ、この中空部にガイドピン４１が伸縮自在に収容される。この中空部の内周部には、第２ピン４４の一対の係合突起４４ｂ，４４ｂにそれぞれ係合する一対の係合凹溝４５ｂ，４５ｂが下端から上端のやや下方位置まで上下方向に沿って設けられている。この係合凹溝４５ｂ，４５ｂに第２ピン４４の係合突起４４ｂ，４４ｂが上下に昇降自在に案内され、また、この係合凹溝４５ｂ，４５ｂの上端天面部によって、第２ピン４４の係合突起４４ｂ，４４ｂの上方側への移動が規制される。
【００３１】
また、このガイドケース４５の中空部には、下降（収縮）したガイドピン４１の下方側への移動を規制する抜止ピン等の抜止部が設けられている。
また、このガイドケース４５の上端部には、鍔部が設けられ、下端外周部には、周方向に沿って係合溝４５ａが設けられている。
外側ケース４９は、上下に開口する筒形状とされ、上端部に鍔部、下端内周部にガイドケース４５の係合溝４５ａに係合する突起を適所に設けた構造とされている。また、この外側ケース４９の外周には、設置対象としての床９の床材等に食い込む複数の突起が設けられている。
【００３２】
この第２ガイド部材４０は、設置対象としての床９に埋め込むようにして外側ケース４９を配設し、この外側ケース４９にガイドピン４１を設けたガイドケース４５を嵌め込むように収容させ、床９に設置される。ガイドピン４１が収縮された状態では、図５（ｂ）に示すように、ガイドケース４５の上面からガイドピン４１が突出せず、ガイドピン４１の全体がガイドケース４５内に収容される。一方、ガイドピン４１が伸長された状態では、図５（ｃ）に示すように、ガイドケース４５の上面から第２ピン４４及び第１ピン４２が上方に向けて突出する。このような二段階伸縮構造とすることで、ガイドピン４１の伸長状態における突出寸法を確保しながらも収縮状態における上下寸法を比較的に小さくすることができる。これにより、収縮状態のガイドピン４１を収容するガイドケース４５及び外側ケース４９の上下寸法を比較的に小さくできる。この結果、例えば、床スラブ上に直接的に施工されるいわゆる直貼りフローリングのような比較的に薄い床材を第２ガイド部材４０の設置対象とした場合にも、比較的に容易に埋め込むように設置でき、好適なものとなる。
【００３３】
上記構成とされた第２ガイド部材４０は、引戸１０の開閉等による一方向への移動を伴って引戸１０のガイド溝部材３０の一端部に設けられた磁石３６の中心側の極（Ｓ極）が当該第２ガイド部材４０のガイドピン４１の上方に来れば、互いの磁力により吸引される。これにより、図５（ｃ）に示すように、ガイドピン４１が伸長されて床９から大きく突出し、ガイド溝３１にガイドピン４１の第１ピン４２が挿入される。また、引戸１０の更なる一方向への移動を伴ってガイド溝部材３０の磁性板３８に吸引され、ガイドピン４１の突出状態が維持される。このように第１ピン４２がガイド溝３１に挿入されて引戸１０の下端部１１側が当該第２ガイド部材４０のガイドピン４１によって移動方向に沿ってガイドされる。また、引戸１０の更なる一方向への移動を伴ってガイド溝部材３０の他端部に設けられた磁石３６の外端側の極（Ｎ極）が当該第２ガイド部材４０のガイドピン４１の上方に来れば、互いの反発力によってガイドピン４１が下降して収縮し、ガイドケース４５に収容される（図５（ｂ）参照）。
【００３４】
ところで、図５（ｃ）では、伸長されたガイドピン４１の先端面が引戸１０の下端部１１に設けられたガイド溝３１の溝天面３２に近接乃至は当接（摺接）した状態を示している。当該第２ガイド部材４０の設置対象としての床９の不陸や引戸１０の建て付け状態等によっては、図６に示すように、床面と引戸１０の下端面とが比較的に近接する場合がある。このような場合において、引戸１０のガイド溝部材３０の一端部に設けられた磁石３６の中心側の極（Ｓ極）に第１ピン４２が吸引される際に、図６（ａ）に示すように、第２ピン４４に引っ掛かり、第２ピン４４に嵌まり込んだまま突出した状態となる場合がある。このような場合にも本実施形態では、ガイド溝３１に傾斜部３５，３５を設けているので、第１ピン４２の第２ピン４４への嵌まり込みをスムーズに解除させることができる。
【００３５】
つまり、図６（ｂ）に示すように、ガイド溝３１の長手方向外端側において吸引されたガイドピン４１に、ガイド溝３１の傾斜部３５，３５の部位が至れば、両側の傾斜部３５，３５によって第２ピン４４が落とされるようにして下降させられる。これにより、第１ピン４２の第２ピン４４への嵌まり込みが解除され、図６（ｃ）に示すように、第１ピン４２のみがスムーズにガイド溝３１に挿入され、引戸１０の下端部１１側をスムーズにガイドすることができる。つまりは、ガイド溝３１に設けた傾斜部３５，３５は、マグネット式の二段階伸縮構造とされた第２ガイド部材４０の第１ピン４２の第２ピン４４への嵌まり込みを解除させ、第１ピン４２のみをガイド溝３１内に誘導させる嵌まり込み解除部として機能する。
なお、当該第２ガイド部材４０の各部は、各部の機能に応じて合成樹脂系材料や金属系材料等から形成されたものとしてもよい。
【００３６】
次に、本実施形態に係る建具装置１及びガイド装置２が備えるガイド部材２０の構成について説明する。
本実施形態では、図２に示すように、上レール３（図３（ｃ）参照）に沿って戸幅方向に移動自在とされた引戸１０の移動軌跡の略中央部位にガイド部材２０を配設した例を示している。図例では、引戸１０の開閉がなされる際に、ガイド部材２０の上方側に、常時、引戸１０が位置するような位置にガイド部材２０を配設した例を示している。また、図例では、引戸１０が上記出入口を閉塞した状態でガイド溝３１の戸尻側の幅広溝部３４の下方側に位置し、引戸１０が上記出入口を開放した状態でガイド溝３１の戸先側の幅広溝部３４の下方側に位置するようにガイド部材２０を配設した例を示している。
【００３７】
ガイド部材２０は、図３（ａ）、（ｂ）に示すように、引戸１０の下端部１１に設けられたガイド溝３１に挿入される上方に突出したガイド体２１と、床９に埋め込まれるように配設されるインナーケーシング２５及びアウターケーシング２９とを備えている。なお、図３（ａ）では、アウターケーシング２９の図示を省略している。
ガイド体２１は、外郭形状が略柱形状（図例では略円柱形状）とされており、突出方向先端側の先端ガイド部２２と、この先端ガイド部２２の下端側に連なるように設けられた基端ガイド部２３とを備えている。
【００３８】
基端ガイド部２３のガイド溝３１の溝幅方向に沿う幅寸法（径）は、図１（ａ）に示すように、ガイド溝３１の上記中心側溝幅寸法に対応させた寸法とされ、該中心溝幅寸法よりも僅かに小さい寸法とされている。
先端ガイド部２２は、引戸１０の開閉がなされる際に、当該ガイド体２１の先端面２１ａとガイド溝部材３０のガイド溝３１の両側の傾斜部３５，３５との接触を回避させるように、先端側に向けて先細り状とされている。本実施形態では、図例のように略円柱形状とされたガイド体２１の先端部に、先端（上端）が下端よりも小径の円錐台形状の先端ガイド部２２を設けた構成としている。この先端ガイド部２２の下端の径は、基端ガイド部２３の径と同寸法とされている。
【００３９】
この先端ガイド部２２は、図１（ｂ）に示すように、ガイド体２１に対してガイド溝３１が戸厚方向にズレて移動してくる際に、ガイド体２１の先端面２１ａが傾斜部３５に接触せずに当該先端ガイド部２２の側周面に傾斜部３５が接触するように形成されている。換言すれば、ガイド溝３１が戸厚方向にズレて移動してくる際に先端ガイド部２２の側周面に傾斜部３５が接触することで、互いの案内作用により当該ガイド体２１に対するガイド溝３１の戸厚方向へのズレを正規の状態（ガイド溝３１の溝幅中心とガイド体２１の中心とが略一致した状態）に戻すことができる。
【００４０】
この先端ガイド部２２の上下端の径差や上下寸法等は、上記のようにガイド体２１の先端面２１ａと傾斜部３５との接触回避が可能なように、ガイド溝３１の溝幅及び両側の傾斜部３５，３５の形状（溝幅方向に沿う幅寸法、傾斜角度等）に応じて設定するようにすればよい。また、先端ガイド部２２と基端ガイド部２３とを合わせた上下寸法は、ガイド溝３１の溝深さ寸法よりも少なくとも大きい寸法とされている。本実施形態では、先端ガイド部２２と基端ガイド部２３とを合わせた上下寸法を、上記した第２ガイド部材４０の第２ピン４４から突出した状態における第１ピン４２の突出寸法と略同寸法としている。
【００４１】
また、ガイド体２１は、本実施形態では、インナーケーシング２５に対して昇降自在とされるとともに、インナーケーシング２５に設けられた付勢部材２７によって上方に向けて付勢されている。本実施形態では、図３（ａ）、（ｂ）に示すように、ガイド体２１の基端ガイド部２３の下端側に、インナーケーシング２５に対して出没自在とされた下端側部２４を連なるように設けている。この下端側部２４の径は、本実施形態では、基端ガイド部２３の径よりも大きい寸法とされ、上述の第２ガイド部材４０の第２ピン４４の径と略同寸法とされている。
このガイド体２１の下端外周部には、径方向にそれぞれ突出する一対の係合突起２１ｂ，２１ｂが設けられている。
【００４２】
インナーケーシング２５は、本実施形態では、上述の第２ガイド部材４０のガイドケース４５と同寸同形状とされており、上下に開口する中空部２６を設けている。この中空部２６の内周部には、ガイド体２１の一対の係合突起２１ｂ，２１ｂにそれぞれ係合する一対の係合凹溝２６ｂ，２６ｂが下端から上端のやや下方位置まで上下方向に沿って設けられている。この係合凹溝２６ｂ，２６ｂにガイド体２１の係合突起２１ｂ，２１ｂが上下に昇降自在に案内され、また、この係合凹溝２６ｂ，２６ｂの上端天面部によって、ガイド体２１の係合突起２１ｂ，２１ｂの上方側への移動が規制される。
【００４３】
また、ガイド体２１には、図１（ｃ）及び図３（ｂ）に示すように、下方側に向けて開口するばね収容凹所２１ｃが設けられている。付勢部材２７は、本実施形態では、このばね収容凹所２１ｃに収容される圧縮コイルばね等からなるばね部材２７とされている。このばね部材２７は、上端がばね収容凹所２１ｃの天面に当接されて上方側への移動が規制され、下端がインナーケーシング２５に設けられた抜止ピン等の抜止部２８に当接乃至は連結されて下方側への移動が規制されている。ガイド体２１には、抜止部２８を受け入れる切欠部２１ｄが設けられている。ガイド体２１は、このばね部材２７によって上方に突出する方向に向けて付勢され、また、圧縮状態におけるばね部材２７及び抜止部２８によって下方側への移動が規制される。
このように、ガイド体２１にばね収容凹所２１ｃを設け、このばね収容凹所２１ｃにばね部材２７を収容する構造とすることで、ガイド体２１を付勢する付勢手段を簡易な構造で実現でき、比較的に小型化を図ることができる。なお、ガイド体２１を上方に向けて付勢する付勢手段としては、上記構造とされたものに限られず、板ばね等の他のばね部材やゴム等の弾性部材を付勢部材として採用し、それに応じた係合部をガイド体２１に設けた構造としてもよい。
【００４４】
このガイド体２１は、本実施形態では、図１（ａ）、（ｂ）に示すように、ばね部材２７によって付勢されて、インナーケーシング２５に対して上昇（突出）した状態では比較的に大きく突出する。図１（ａ）では、ガイド体２１がインナーケーシング２５に対して略最大限突出した状態を示しており、この状態では、ガイド体２１の先端面２１ａが引戸１０の下端部１１に設けられたガイド溝３１の溝天面３２に近接乃至は当接（摺接）した状態となる。また、この状態におけるガイド体２１のインナーケーシング２５からの突出寸法は、上述の第２ガイド部材４０の伸長されたガイドピン４１の突出寸法と略同寸法の突出寸法とされている。一方、図１（ｂ）では、図１（ａ）と比べて、床面と引戸１０の下端面とが比較的に近接した状態を示している。この状態では、ガイド体２１の先端面２１ａが引戸１０の下端部１１に設けられたガイド溝３１の溝天面３２に当接（摺接）し、この溝天面３２によって、ばね部材２７の付勢によるガイド体２１の上方側への移動が規制される。
【００４５】
また、ガイド体２１は、図３（ｂ）に示すように、下降した状態において、下端２１ｅがインナーケーシング２５の下側開口縁２６ａと上下で同位置、つまり、インナーケーシング２５の下面と略同一平面状となるように下端側部２４が中空部２６に収容される。また、ガイド体２１は、この下降した状態において、少なくとも先端ガイド部２２がインナーケーシング２５の上面２５ａから上方に向けて突出するように形成されている。図例では、この下降した状態において、ガイド体２１の下端側部２４の略全体が中空部２６に収容され、基端ガイド部２３及び先端ガイド部２２がインナーケーシング２５の上面２５ａから上方に向けて突出する構造とされたガイド体２１を例示している。
【００４６】
なお、インナーケーシング２５は、上述の第２ガイド部材４０のガイドケース４５と同様、上端には鍔部が設けられ、下端外周部には周方向に沿って係合溝２５ｂが設けられている。
また、アウターケーシング２９は、本実施形態では、上述の第２ガイド部材４０の外側ケース４９と同寸同形状とされている。このアウターケーシング２９は、上記同様、上下に開口する筒形状とされ、上端部に鍔部、下端内周部にインナーケーシング２５の係合溝２５ｂに係合する突起を適所に設け、外周に設置対象としての床９の床材等に食い込む複数の突起を設けた構造とされている。
このガイド部材２０は、上述の第２ガイド部材４０と同様、設置対象としての床９に埋め込むようにしてアウターケーシング２９を配設し、このアウターケーシング２９にガイド体２１を設けたインナーケーシング２５を嵌め込むように収容させ、床９に設置される。
なお、当該ガイド部材２０の各部は、各部の機能に応じて合成樹脂系材料や金属系材料等から形成されたものとしてもよい。
【００４７】
上記構成とされたガイド部材２０、これを備えたガイド装置２及び建具装置１によれば、簡易な構造でありながらも引戸１０の下端部１１側をスムーズにガイドすることができる。
つまり、ガイド部材２０のガイド体２１の先端側に、ガイド体２１の先端面２１ａとガイド溝３１の両側の傾斜部３５，３５との接触を回避させるように、先細り状とされた先端ガイド部２２を設けている。従って、引戸１０の移動を伴って、ガイド溝３１に対して当該ガイド体２１が相対的に移動する際に、ガイド体２１の先端面２１ａがガイド溝３１の傾斜部３５に接触、摺接すること等に起因する引戸１０の突き上げやガイド溝３１からのガイド体２１の脱離（脱線）等を抑制することができる。つまり、このような先端ガイド部２２を設けない構造とした場合において、ガイド体に対してガイド溝３１が戸厚方向にズレて移動してくる際に、ガイド体の先端面が傾斜部３５に接触、摺接すれば、ガイド溝３１の傾斜部３５の傾斜面に沿ってガイド体が移動することが考えられる。このような場合には、ガイド体がガイド溝３１にスムーズに挿入されずに引戸１０の下端面に沿って移動したり、引戸１０の戸厚方向に外れてしまったりすることも考えられるが、本実施形態に係るガイド部材２０によれば、このような問題を抑制することができる。この結果、引戸１０の下端部１１側をスムーズにガイドすることができる。
【００４８】
また、ガイド部材２０のガイド体２１は、上方に向けて突出し、ガイド溝３１に挿入される基端ガイド部２３と先端ガイド部２２とを連なるように設けた構造とでき、多段階伸縮構造としたり、磁石を設けたりする必要がなく、簡易な構造とすることができる。
つまりは、本実施形態に係るガイド部材２０によれば、上記のようにマグネット式の二段階伸縮構造とされた第２ガイド部材４０の嵌まり込み解除のために特殊形状としたガイド溝３１を設けたガイド溝部材３０乃至は引戸１０に簡易な構造で適用することができる。この結果、例えば、マグネット式の二段階伸縮構造とされた第２ガイド部材４０を全ての箇所（図例では三箇所）に設ける場合と比べて低コスト化を図ることができる。または、第２ガイド部材４０を設けない態様とすることもできる。このような態様によっても、ガイド溝部材３０乃至は引戸１０に、特殊形状とされたガイド溝３１が設けられている場合にも適用が可能となり汎用性の高いガイド部材２０となる。
【００４９】
さらに、本実施形態では、ガイド部材２０のガイド体２１を、各ケーシング２５，２９に対して昇降自在とするとともに、インナーケーシング２５に設けられたばね部材２７によって上方に向けて付勢された構造としている。従って、ガイド体２１を固定的に設けた場合と比べて、ガイド部材２０が設置される設置対象（床）９の不陸や、引戸１０の建て付け誤差等に起因するガイド体２１と引戸１０の下端側のガイド溝３１との係合不足やガイド体２１による引戸１０の突き上げ等を抑制することができる。つまり、図１（ｂ）に示すように、ガイド部材２０の設置対象としての床９の不陸や引戸１０の建て付け状態等によって床面と引戸１０の下端面とが比較的に近接する場合にも、引戸１０の下端部１１側を安定的にガイドすることができる。
【００５０】
さらにまた、本実施形態では、ガイド体２１が昇降自在に支持されるインナーケーシング２５に、上下に開口する中空部２６を設けた構造としている。また、ガイド体２１が下降した状態において、その下端２１ｅがインナーケーシング２５の中空部２６の下側開口縁２６ａに位置するように下端側部２４が中空部２６に収容され、少なくとも先端ガイド部２２がインナーケーシング２５の上面２５ａから突出する構造としている。従って、上昇（突出）した状態におけるガイド体２１のインナーケーシング２５の上面２５ａからの突出寸法を比較的に大きくすることが可能でありながらも、設置対象としての床９に埋め込まれるように配設されるインナーケーシング２５の上下寸法を比較的に小さくすることができる。これにより、上記第２ガイド部材４０と同様、例えば、床スラブ上に直接的に施工されるいわゆる直貼りフローリングのような比較的に薄い床材を設置対象とした場合にも、比較的に容易に埋め込むように設置でき、好適なものとなる。なお、本実施形態では、ガイド体２１が下降した状態において、先端ガイド部２２及び基端ガイド部２３がインナーケーシング２５の上面２５ａから突出する構造とした例を示しているが、このような態様に限られない。ガイド体２１が下降した状態において、例えば、先端ガイド部２２のみまたは先端ガイド部２２に加えて基端ガイド部２３の一部のみが上面２５ａから突出する構造としてもよく、さらに基端ガイド部２３の下端側の下端側部２４の一部が上面２５ａから突出する構造としてもよい。
【００５１】
また、本実施形態では、ガイド部材２０の各ケーシング２５，２９を、第２ガイド部材４０の各ケース４５，４９と同寸同形状のものを採用している。従って、本実施形態に係るガイド部材２０の各ケーシング２５，２９と、従来のマグネット式の二段階伸縮構造とされた第２ガイド部材４０の各ケース４５，４９とを共用することもできる。なお、ガイド部材２０の各ケーシング２５，２９を、第２ガイド部材４０の各ケース４５，４９と同寸同形状とせずに、異なる形状とされたものを採用するようにしてもよい。例えば、図例では、ガイド体２１の下端側部２４を基端ガイド部２３よりも大径とした例を示しているが、基端ガイド部２３と同径とし、これに応じた中空部をインナーケーシング２５に設けた構造としてもよい。
【００５２】
なお、本実施形態では、ガイド部材２０のガイド体２１を、略円柱形状とした例を示しているが、略多角柱形状としてもよく、この場合は、先端ガイド部２２を、多角錐台形状としてもよい。または、ガイド体２１を、ガイド溝３１の長手方向に沿って長尺乃至は長径の平面視して略矩形状乃至は略楕円形状とされたものとしてもよい。
また、本実施形態では、先端ガイド部２２を略円錐台形状とした例を示しているが、少なくともガイド溝３１の溝幅方向に沿う断面視乃至は側面視した形状が先端側に向けて先細り状とされたものとすればよい。
【００５３】
さらに、本実施形態では、インナーケーシング２５に、上下に開口する中空部２６を設け、ガイド体２１が下降した状態において、その下端２１ｅがインナーケーシング２５の中空部２６の下側開口縁２６ａに位置するように下端側部２４が中空部２６に収容され、少なくとも先端ガイド部２２がインナーケーシング２５の上面２５ａから突出する構造とした例を示しているが、このような態様に限られない。ガイド体２１が下降した状態において、その下端２１ｅがインナーケーシング２５の中空部２６の下側開口縁２６ａよりも上方位置となるものとしてもよく、ガイド体２１の全体が中空部２６に収容されるものとしてもよい。つまりは、ガイド部材２０の設置対象に埋め込まれるように配設されるケーシング２５を備えたものとし、ガイド体２１を、ケーシング２５に対して昇降自在とするとともに、このケーシング２５に設けられた付勢部材２７によって上方に向けて付勢されたものとしてもよい。このような態様によっても、ガイド体２１と引戸１０の下端側のガイド溝３１との係合不足やガイド体２１による引戸１０の突き上げ等を抑制することができる。
【００５４】
さらには、ガイド体２１を付勢部材２７によって付勢し、昇降自在とした態様に代えて、設置対象に設置されるガイド部材２０の本体に対してガイド体２０を固定的に設ける態様としてもよい。このような態様によっても、先端ガイド部２２を設けることで、簡易な構造でありながらも引戸１０の下端部１１側を比較的にスムーズにガイドすることはできる。
また、本実施形態では、平面視して略円形状とされたインナーケーシング２５に対してガイド体２１を同心状に設けた例を示しているが、ガイド体２１をインナーケーシング２５に対して偏心状に設けるようにしてもよい。この場合、インナーケーシング２５及びアウターケーシング２９に、アウターケーシング２９に対するインナーケーシング２５の固定位置を周方向に多段階的乃至は無段階的に調整し得る位置調整手段を設けるようにしてもよい。例えば、周方向に多段階的乃至は無段階的に互いに係止する係止部を各ケーシング２５，２９に設けるようにしてもよい。なお、第２ガイド部材４０のガイドピン４１も同様、ガイドケース４５に対して偏心状に設け、各ケースに上記同様の位置調整手段を設けるようにしてもよい。
【００５５】
また、本実施形態では、ガイド溝部材３０のガイド溝３１の長手方向両端部位に、ガイド体２１及びガイドピン４１の誘いとしての幅広溝部３４及びこれに連なるテーパ部３３ａを設けた例を示しているが、幅広溝部３４を設けないようにしてもよく、またはこれら両方を設けないようにしてもよい。さらには、本実施形態では、ガイド溝３１の溝深さ寸法をガイド溝３１の長手方向全長に亘って略同一寸法とした例を示しているが、このような態様に限られない。例えば、長手方向両端部位の溝深さ寸法を、長手方向中心側から長手方向外端側に向けて徐々に深くなる（溝天面３２が高くなる）寸法としてもよい。これによれば、このガイド溝の長手方向両端部位を、突出状態とされたガイド部材２０のガイド体２１の誘いとして機能させることもできる。
さらに、本実施形態では、引戸１０の下端部１１に凹溝１２を設け、この凹溝１２にガイド溝３１を設けたガイド溝部材３０を嵌め込むように取り付けて引戸１０の下端部１１にガイド溝３１を設けた例を示しているが、このような態様に限られない。例えば、引戸１０の下端部１１に一体的に上記形状のガイド溝３１を設けた態様としてもよい。この場合は、必要に応じて、磁石や磁性板等を添設乃至は埋め込むようにしてもよい。
【００５６】
さらに、上記した例では、袖壁納めとされた一枚からなる片引き式の引戸１０の下端部１１側をガイドするガイド装置２乃至はガイド部材２０を例示しているが、このような態様に限られない。例えば、戸袋納めやいわゆるアウトセット納め、引き違い、引き分け（両引き）等、引戸１０の納め態様やスライド態様、枚数に応じて、適宜の箇所にガイド部材２０を配設するようにしてもよい。この場合、ガイド部材２０のガイド体２１は、上方に向けて突出した状態とされるため、上記同様、常時、上方側に引戸１０が存在する部位に配設することが好ましく採用されるが、常時は上方側に引戸１０が存在しない部位に配設するようにしてもよい。
また、建具としては、引戸１０に限られず、間仕切壁（間仕切パネル）等としてもよい。
さらに、上記した例では、上レール３を下向きに開口し、両側板部３ｂ，３ｂに、ランナー１５のローラー１６を案内する案内片３ｃ，３ｃを連成したものとしているが、このような態様に限られない。例えば、上レールは、ランナーの形状や構造に応じて、略Ｌ字状とされたものや、横向きに開口した略コ字状とされたものとしてもよい。
【符号の説明】
【００５７】
１        建具装置
２        ガイド装置
３        上レール
９        床（設置対象）
１０      引戸（建具）
１１      下端部
２０      ガイド部材
２１      ガイド体
２１ａ    先端面
２１ｅ    下端
２２      先端ガイド部
２３      基端ガイド部
２４      下端側部（下端側部位）
２５      インナーケーシング（ケーシング）
２５ａ    上面
２６      中空部
２６ａ    下側開口縁
２７      ばね部材（付勢部材）
３０      ガイド溝部材
３１      ガイド溝
３２      溝天面
３３      溝内壁部
３５      傾斜部
【図１】
0005798811.tif 000002
【図２】
0005798811.tif 000003
【図３】
0005798811.tif 000004
【図４】
0005798811.tif 000005
【図５】
0005798811.tif 000006
【図６】
0005798811.tif 000007